(57)【要約】【課題】  部品個々に識別情報を付加せずとも交換部品を正しく特定して昇降機毎の使用部品情報を更新する。【解決手段】  昇降機毎の使用部品管理情報５と部品毎の文字情報及び外観情報３を蓄積し、部品を撮像した撮像画像を分析して撮像画像に含まれる文字や部品の画像を抽出する画像分析手段２と、画像分析手段２で抽出した文字及び部品画像と部品毎の文字情報及び外観情報３とを照合して合致する部品情報を特定する部品特定手段４を備える昇降機の部品情報管理システム１において、撮像手段７と部品情報管理サーバ１への通信手段９とを備える端末装置６で撮像した撮像情報から、画像分析手段２と部品特定手段４を使用して部品を特定し、昇降機毎の使用部品管理情報５を特定した部品情報で更新するとともに、端末装置６において特定した部品情報を確認可能とする。【選択図】  図１
2015170288.tif 000002
【特許請求の範囲】
【請求項１】
昇降機に使用される部品の部品情報と管理情報と前記部品に関連する文字情報とを関連付けして蓄積する部品情報管理サーバと、
撮像手段と前記部品情報管理サーバへの通信手段とを備える端末装置とで構成され、前記部品情報管理サーバまたは前記端末装置のいずれかに、前記端末装置で撮像した撮像画像を分析して前記画像に含まれる文字を抽出する画像分析手段と、
前記撮像画像に含まれる文字と前記文字情報とを参照して前記部品情報と前記管理情報とを特定する部品特定手段と
を備えることを特徴とした昇降機の部品情報管理システム。
【請求項２】
昇降機に使用される部品の部品情報と管理情報と前記部品に関連する文字情報と外観情報とを関連付けして蓄積する部品情報管理サーバと、
撮像手段と前記部品情報管理システムへの通信手段とを備える端末装置とで構成され、前記部品情報管理サーバまたは前記端末装置のいずれかに、前記端末装置で撮像した撮像画像を分析して前記画像に含まれる文字を抽出する画像分析手段と、
前記撮像画像に含まれる文字と前記文字情報及び前記撮像画像と前記外観情報とを参照して前記部品情報と前記管理情報とを特定する部品特定手段と
を備えることを特徴とした昇降機の部品情報管理システム。
【請求項３】
請求項１または請求項２に記載の前記部品情報管理サーバに蓄積されている前記部品の前記管理情報を、抽出した前記部品情報を使用して更新することを特徴とする請求項１または請求項２記載の昇降機の部品情報管理システム。
【請求項４】
請求項１において特定された前記部品情報と、関連する前記管理情報とを前記端末装置に表示することを特徴とする請求項１記載の昇降機の部品情報管理システム。
【請求項５】
請求項２において特定された前記部品情報と、関連する前記管理情報と外観情報とを前記端末装置に表示することを特徴とする請求項２記載の昇降機の部品情報管理システム。
【請求項６】
請求項１または請求項２に記載の前記部品の前記部品情報と前記部品に関連する前記文字情報と前記外観情報は前記部品情報管理サーバとは別のサーバまたはシステムに記録されていることを特徴とする請求項１または請求項２記載の昇降機の部品情報管理システム。
【発明の詳細な説明】
【技術分野】
【０００１】
本発明は、昇降機を保守するために必要な部品の情報を管理する部品情報管理システムに関する。
【背景技術】
【０００２】
従来、昇降機に使用されている部品の交換実績を管理する技術として、部品個々に識別情報を付加し、部品を交換した時に端末装置の入力部から前記識別情報を取り込み、部品情報管理システムへ送信することにより、部品情報を更新する技術が提案されている（特許文献１参照）。
【先行技術文献】
【特許文献】
【０００３】
【特許文献１】特開２００１−１７１９３５号公報
【発明の概要】
【発明が解決しようとする課題】
【０００４】
従来技術では、予め部品ごとの識別情報を部品情報管理システムに登録するとともに、識別情報を作成する装置を準備して部品個々に対して識別情報を作成し付加する作業が必要となり、人員と経費及び労力が掛かるという問題がある。また、部品そのものに識別情報を付加出来ない場合は梱包材等に付加することになるが、梱包材を廃棄すると識別情報も無くなってしまうという問題があった。
【課題を解決するための手段】
【０００５】
上記課題を解決するために、本発明は、
昇降機に使用される部品の部品情報と管理情報と前記部品に関連する文字情報とを関連付けして蓄積する部品情報管理サーバと、
撮像手段と前記部品情報管理サーバへの通信手段とを備える端末装置とで構成され、前記部品情報管理サーバまたは前記端末装置のいずれかに、前記端末装置で撮像した撮像画像を分析して前記画像に含まれる文字を抽出する画像分析手段と、
前記撮像画像に含まれる文字と前記文字情報とを参照して前記部品情報と前記管理情報とを特定する部品特定手段と、
を備えることを特徴とする。
【０００６】
また、本発明は、
昇降機に使用される部品の部品情報と管理情報と前記部品に関連する文字情報と外観情報とを関連付けして蓄積する部品情報管理サーバと、
撮像手段と前記部品情報管理システムへの通信手段とを備える端末装置とで構成され、前記部品情報管理サーバまたは前記端末装置のいずれかに、前記端末装置で撮像した撮像画像を分析して前記画像に含まれる文字を抽出する画像分析手段と、
前記撮像画像に含まれる文字と前記文字情報及び前記撮像画像と前記外観情報とを参照して前記部品情報と前記管理情報とを特定する部品特定手段と
を備えることを特徴とする。
【０００７】
このように構成することにより、部品製造メーカーが部品に予め貼り付けたり焼き付けている部品の型式や仕様等を表す文字情報と、文字情報が記載された銘板部分を含んだ部品の外形が分かる外観画像とを、部品毎に予め部品情報管理サーバに登録しておき、部品を交換する際に端末装置を使用して部品の銘板部分を含む外形が分かる画像を撮像する。部品情報管理サーバまたは端末装置は、撮像された撮像画像を分析し、銘板部分に記載された型式や仕様等の文字と、部品の外形形状を参照して、部品情報管理サーバに登録されている文字情報や外観情報と照合して相当する部品情報を特定し、必要であれば部品情報に関連する使用位置や使用個数、交換来歴などの管理情報を更新する。これにより、部品個々に対して識別情報を付加する作業が不要となり、また識別情報がなくても部品特定が可能となる。
【発明の効果】
【０００８】
本発明によれば、予め部品個々に識別情報を付加しなくても、部品そのもので部品特定が出来るため、識別情報を付加するための人員と経費及び労力が不要となる。
【０００９】
また、交換部品そのものの画像から部品を特定することにより、識別情報が無くても正しい部品情報を部品情報管理システムに登録することができる。
【図面の簡単な説明】
【００１０】
【図１】本発明の昇降機の部品情報管理システムの一実施形態を示すブロック図である。
【図２】撮像した撮像情報を画像分析して部品を特定する手順の例を示すブロック図である。
【発明を実施するための形態】
【００１１】
以下、本発明の昇降機の部品情報管理システムの一実施形態を図１と図２に基づいて説明する。
【００１２】
図１は本発明の昇降機の部品情報管理システムの一実施形態を示すブロック図である。
【００１３】
本実施形態の部品情報管理システムは、部品情報管理サーバ１と端末装置６とで構成されている。
【００１４】
部品情報管理サーバ１は、昇降機メーカーや保守会社の管理拠点などに設けられており、撮像画像を分析して画像に含まれる文字を抽出したり部品の外形を抽出する画像分析手段２と、予め蓄積された部品ごとの文字情報及び外観情報３と、画像分析手段２で抽出した文字と撮像画像と、文字情報及び外観情報３とを照合して合致する部品情報を特定する部品特定手段４と、昇降機ごとに使用されている部品を管理する管理情報５とを備えている。
【００１５】
また、端末装置６は、昇降機の設置場所などの現場にて作業員や保守員などによって使用されるものであり、撮像手段７と表示手段８と、部品情報管理サーバ１と無線通信等によって接続し通信を行う通信手段９とを備えている。
【００１６】
また、端末装置６には、部品を交換する対象の昇降機を識別する昇降機管理番号と、交換対象部品及び交換内容を識別する交換作業指示コードをが予め保存されている。
【００１７】
次に、これらの機器を使用して、部品情報を特定する手順について説明する。
まず、保守員は、昇降機が設置されている現場において、部品交換時に端末装置６の撮像手段７を使用して交換する部品の銘板部分を含んだ外形が分かる画像を撮像する。
端末装置６は、通信手段９を使用して部品情報管理サーバ１に接続し、昇降機管理番号と交換作業指示コードと撮像した撮像情報とを部品情報管理サーバ１に送信する。
【００１８】
図２は部品情報管理サーバ１において撮像した撮像情報を画像分析して部品を特定する手順の具体例を示すブロック図である。以下図２を用いて画像分析処理の手順を説明する。
【００１９】
保守員は、交換部品の銘板部分を含んだ面を端末装置６にて撮像するが、その際、床に置いて銘板部分を含んだ面を上向きにして上から撮影する場合や、作業台の上に置いて銘板部分を含んだ面を横向きにして横から撮影する場合や、交換部品を手に持ち、銘板部分を含んだ面を正面に向けて撮影する場合や、現場の制御盤内やかご上等に設置した後に銘板部分を含んだ面が出来るだけ正面になるように撮影する場合がある。
【００２０】
そのようにして撮影した画像は、垂直方向や水平方向に正確には揃えられず、斜めに回転した角度の画像となる。また、前後方向も均一に揃わず、片側は前方に出ていてもう片側は後方に下がっている状態の画像となる。また制御盤内に設置した後に撮影した場合は、制御盤内の他部品が背後に写り込んだ画像となり、交換部品を手で持って撮影した場合は、交換部品の回りに手が写っている画像となる。
【００２１】
画像分析手段２は、端末装置６の撮像手段７にて撮像された撮像画像より、ハウ（Hough）変換等の画像処理手法によって、最も広い面積の多角形部分を抽出する。
次に画像分析手段２は幾何変換により前記多角形部分の画像を回転させて前記多角形部分の各辺が垂直方向および水平方向に揃えた画像に変換し、前記多角形部分の外形形状の情報を認識する。
【００２２】
次に画像分析手段２は文字認識処理にて前記多角形部分の銘板部分に記載された型式等の文字を認識する。
【００２３】
次に部品特定手段４は、部品情報管理システム１に予め登録している保守部品ごとの文字情報及び外観情報３の中から前記画像分析手段２で認識した文字と外形形状情報に合致する部品情報を抽出し部品を特定する。
【００２４】
さらに部品情報管理サーバ１は、昇降機毎の使用部品管理情報５の中から前記端末装置６から受信した昇降機管理番号と交換作業指示コードで特定される該当昇降機の該当部品の情報を選択し、前記部品特定手段４で特定した部品情報の内容に更新する。
【００２５】
また、部品情報管理サーバ１は、前記部品特定手段４で特定した部品情報や管理情報、外観情報等を端末装置６にも送信して表示手段８に表示させることにより、現場の保守員が交換部品情報の特定と更新が行われたことを確認することを可能としている。
【００２６】
このように構成した本実施形態では、交換部品そのものの撮像画像で部品を特定できるため、予め部品個々に識別情報を付加する必要が無くなり、識別情報を付加するための人員と経費及び労力が不要となる。
【００２７】
また、部品個々に識別情報を付加する手段では、付加した識別情報を紛失したり破棄したりすると部品特定出来なくなるが、本実施形態では識別情報を付加しなくても部品を特定でき、正しい部品情報を保守部品情報管理システムに登録することができる。
【００２８】
なお、部品情報管理システムに予め登録している保守部品ごとの文字情報及び外観情報３において、部品に記載されていう文字が部品を特定するために充分な情報量がある場合は、外観情報を使用せず文字情報のみで特定しても良い。この構成により、部品情報管理サーバ１が使用する各種情報の記憶容量を低減することが可能となる。
【００２９】
また、画像分析手段２と、部品特定手段４は、端末装置６の情報処理性能やメモリ性能、通信性能がその処理を実施するために充分な性能を持っていれば、端末装置６において実施しても良い。この構成により部品情報管理サーバ１の負荷を軽減することが可能である。
【００３０】
また、昇降機に使用される部品に記載される文字や部品の外観は、部品製造メーカーや昇降機の製造メーカーにより例えば時期や製造ロット毎に変更される可能性がある。このような状況に対応するためには、実施例において部品情報管理サーバ１に記録されている文字情報及び外観情報を、例えば部品製造メーカーが提供している最新の部品情報を記録しているサーバーのパーツリストデータなどを部品情報管理サーバ１より参照して得る事により解決することが可能である。
【符号の説明】
【００３１】
１  保守部品情報管理サーバ
２  画像分析手段
３  保守部品ごとの文字情報と外観情報
４  部品特定手段
５  昇降機毎の使用部品管理情報
６  端末装置
７  撮像手段
８  表示手段
９  通信手段
１０  部品
１１  名版
【図１】
2015170288.tif 000003
【図２】
2015170288.tif 000004